(57)【要約】【課題】不正行為を行った遊技者を動揺させるとともに、遊技店の店員には不正行為が行われたことが一見でわかるようにして、不正行為の抑止を図る。【解決手段】遊技機用スイッチ30は、操作レバー50と、操作レバー50前端に装着される握り玉60とを備える。操作レバー50前端側に上下変位体90を設け、上下変位体90前端にフック93を設ける。操作レバー50上部に、握り玉60付近から後方へ向かうに従って高さが次第に低くなる第１傾斜部54と、第１傾斜部54の後端から後方へ向かうに従って高さが次第に高くなる第２傾斜部55とを設ける。上下変位体90が上側にあるときには、上下変位体90上部が第１傾斜部54と第２傾斜部55との境界部56から突出し、フック93が握り玉60と係合する。境界部56から突出する部分を下方へ押圧すると、上下変位体90とともにフック93が下方へ変位し、フック93と握り玉60との係合が解除される。【選択図】図４
2008272369.tif 000002
【特許請求の範囲】
【請求項１】
前端を遊技機の前方へ突出させ後端を遊技機の内部に位置させているとともに前端と後端との間の所定位置に設けた軸支部を揺動可能に軸支されている操作レバーと、
操作レバーの前端に着脱可能に装着されている握り玉とを備え、
操作レバーの軸支部よりも後端側には、操作レバーの揺動に伴う変位によってＯＮとＯＦＦとの切り替えを行う切替部が設けられ、
操作レバーの軸支部よりも前端側には、一定範囲内で上下に変位可能とされている上下変位体が内蔵または並設され、
上下変位体の前端には、上方へ向けて延びるフックが設けられ、
フックは、上下変位体が変位範囲の上側にあるときには、握り玉と係合して握り玉が操作レバーの前端から外れなくなるように形成され、
操作レバーの軸支部よりも前端側の上部には、握り玉付近から後方へ向かうに従って高さが次第に低くなるように滑らかに傾斜する第１傾斜部と、第１傾斜部の後端から後方へ向かうに従って高さが次第に高くなるように滑らかに傾斜する第２傾斜部とが設けられ、
上下変位体が変位範囲の上側にあるときには、上下変位体の上部が第１傾斜部と第２傾斜部との境界部から上方へ突出するように形成され、
上下変位体における第１傾斜部と第２傾斜部との境界部から上方へ突出する部分を下方へ押圧すると、上下変位体が下方へ変位するとともにフックが下方へ変位して、フックと握り玉との係合が解除されるように形成されていることを特徴とする遊技機用スイッチ。
【請求項２】
フックと握り玉との係合が解除される位置で上下変位体の上方への変位を阻止するための変位阻止機構を備え、
変位阻止機構は、上下変位体が変位範囲の上側にあってフックと握り玉とが係合しているときには上下変位体の側方に設けた退避位置に退避しているとともに、上下変位体が下方へ変位してフックと握り玉との係合が解除されたときには退避位置から上下変位体の上側に突出して上下変位体の上方への変位を阻止するストッパーを備えていることを特徴とする請求項１記載の遊技機用スイッチ。
【請求項３】
握り玉が操作レバーの前端から外れた状態でも握り玉を操作レバーに繋いでおくための連結具を備えていることを特徴とする請求項１または２記載の遊技機用スイッチ。
【発明の詳細な説明】
【技術分野】
【０００１】
本発明は、遊技機用スイッチに関し、さらに詳しくは、操作タイミングをカウンタ回路の周期に合わせることで特定の数値範囲を狙い、これにより特定の抽選結果を期待値よりも高確率で引き当てようとする不正行為を抑止できる遊技機用スイッチに関する。
【背景技術】
【０００２】
スロットマシンなどの遊技機では、スタートスイッチを操作すると、役抽選手段によって複数の役のいずれかに当選したかまたはハズレかの抽選が行われる。また、いずれかの役に当選すると、当選した役に対応する入賞図柄配列が入賞ライン上に揃い得るように、各回転リールの停止制御が行われる。そして、すべての回転リールの回転が停止したときに、入賞ライン上に入賞図柄配列が揃うと、当選した役に入賞となり、遊技者に対して所定の利益が付与される。
また、役抽選手段は、所定の範囲内（例えば１０進数で０〜１６３８３）でインクリメントするカウンタ回路の数値を、スタートスイッチが操作されたタイミングでラッチし、このラッチした数値を役抽選テーブルと照合して、いずれかの役に当選したかまたはハズレかを決定するものである。
【０００３】
また、役抽選テーブルには、例えば、ラッチした数値が０〜９９の範囲内であればビッグボーナス当選（ＢＢ当選）とし、１００〜２９９の範囲内であればレギュラーボーナス当選（ＲＢ当選）とし、３００〜６９９の範囲内であれば小役当選とし、７００〜２９９９の範囲内であればリプレイ当選とし、それ以外であればハズレとする旨があらかじめ定められている。
このため、スタートスイッチがランダムに操作されれば、役抽選手段の抽選結果は、役抽選テーブルに定められた各数値範囲の比率に従ったものになると期待されるが、カウンタ回路の周期に合わせてスタートスイッチが操作されると、ラッチされる数値が特定の範囲内に偏ることから、役抽選手段の抽選結果も特定のものに偏ってしまうこととなる。
【０００４】
そして、このような遊技機の特性を悪用し、特定の抽選結果（特にＢＢ当選）を期待値よりも高確率で引き当てて、遊技店の想定を超える利益を獲得するという不正行為が従来から問題視されている。
また、このような不正行為は、例えば、スタートスイッチの操作レバーに引っ掛けられるピアノ線と、ピアノ線を下方へ引っ張るソレノイドと、ソレノイドの駆動を制御する制御部とを備えた不正器具を用いて行われることがある。この不正器具は、カウンタ回路の周期に合わせてソレノイドを駆動させて操作レバーを引き下げるものであり、カウンタ回路の数値が特定の抽選結果（特にＢＢ当選）となる範囲内に入ったタイミングでソレノイドが駆動するように調整して使用されるものである。
【０００５】
そして、このような不正行為の防止策として、例えば、カウンタ回路の周期を順次変更する技術（特許文献１参照）や、操作レバーの揺動に連動してフォトセンサーの遮光部を遊動させる技術（特許文献２〜４参照）などがある。
【特許文献１】特開２００２−３２０７１８号公報
【特許文献１】特開２００５−７３８３８号公報
【特許文献１】特開２００５−８１００４号公報
【特許文献１】特開２００５−８７５８３号公報
【発明の開示】
【発明が解決しようとする課題】
【０００６】
しかし、特許文献１に開示されている技術では、制御プログラムが複雑化してしまい、また、特許文献２〜４に開示されている技術では、フォトセンサーの遮光部が遊動するためにＯＮとＯＦＦとの切り替えが不安定になってしまう。
（請求項１）
そこで、請求項１記載の発明は、操作レバーにピアノ線を引っ掛けて、これを引き下げると、操作レバーの前端から握り玉が外れるようにすることにより、不正行為を行った遊技者を動揺させるとともに、遊技店の店員には不正行為が行われたことが一見でわかるようにして、不正行為の抑止を図ることができる上に、制御プログラムが複雑化することもなく、また、ＯＮとＯＦＦとの切り替えが不安定になることもない遊技機用スイッチを提供することを目的とする。
【０００７】
（請求項２）
また、請求項２記載の発明は、請求項１記載の発明の目的に加え、操作レバーの前端から握り玉が外れると、簡単には元に戻せないようにすることにより、不正行為を行った遊技者をより一層動揺させるようにして、不正行為の抑止効果をより一層向上させた遊技機用スイッチを提供することを目的とする。
（請求項３）
また、請求項３記載の発明は、請求項１または２記載の発明の目的に加え、操作レバーの前端から外れた握り玉を連結具で操作レバーに繋ぎ止めておくことにより、操作レバーの前端から外れた握り玉を紛失しないようにした遊技機用スイッチを提供することを目的とする。
【課題を解決するための手段】
【０００８】
（請求項１）
請求項１記載の発明は、遊技機用スイッチ30に係るものであって、前端を遊技機10の前方へ突出させ後端を遊技機10の内部に位置させているとともに前端と後端との間の所定位置に設けた軸支部を揺動可能に軸支されている操作レバー50と、操作レバー50の前端に着脱可能に装着されている握り玉60とを備え、操作レバー50の軸支部よりも後端側には、操作レバー50の揺動に伴う変位によってＯＮとＯＦＦとの切り替えを行う切替部80が設けられ、操作レバー50の軸支部よりも前端側には、一定範囲内で上下に変位可能とされている上下変位体90が内蔵または並設され、上下変位体90の前端には、上方へ向けて延びるフック93が設けられ、フック93は、上下変位体90が変位範囲の上側にあるときには、握り玉60と係合して握り玉60が操作レバー50の前端から外れなくなるように形成され、操作レバー50の軸支部よりも前端側の上部には、握り玉60付近から後方へ向かうに従って高さが次第に低くなるように滑らかに傾斜する第１傾斜部54と、第１傾斜部54の後端から後方へ向かうに従って高さが次第に高くなるように滑らかに傾斜する第２傾斜部55とが設けられ、上下変位体90が変位範囲の上側にあるときには、上下変位体90の上部が第１傾斜部54と第２傾斜部55との境界部56から上方へ突出するように形成され、上下変位体90における第１傾斜部54と第２傾斜部55との境界部56から上方へ突出する部分を下方へ押圧すると、上下変位体90が下方へ変位するとともにフック93が下方へ変位して、フック93と握り玉60との係合が解除されるように形成されていることを特徴とする。
【０００９】
ここで、「操作レバー50」は、前端を遊技機10の前方へ突出させ、後端を遊技機10の内部に位置させるとともに、前端と後端との間の所定位置に設けた軸支部を揺動可能に軸支されるものである。つまり、操作レバー50は、前端と後端との間の所定位置に、軸支部を有する。そして、操作レバー50は、前端を遊技機10の前方へ突出させるとともに、後端を遊技機10の内部に位置させるようにして、軸支部を揺動可能に軸支される。また、操作レバー50は、例えば、アルミニウムやステンレスなどの無垢の円柱棒を用いて形成することができるし、また、アルミニウムやステンレスなどのパイプを用いて形成することもできる。
【００１０】
また、「握り玉60」は、操作レバー50の前端に着脱可能に装着されるものである。つまり、握り玉60は、操作レバー50の前端に装着されるものであり、操作レバー50に対して着脱可能とされるものである。
また、「切替部80」は、操作レバー50の軸支部よりも後端側に設けられるものであって、操作レバー50の揺動に伴う変位によってＯＮとＯＦＦとの切り替えを行うためのものである。例えば、操作レバー50の後端に切替部80を設け、操作レバー50が中立位置にあるときには、切替部80が発光部86と受光部87との間に位置して、発光部86から受光部87への光路を遮るが、操作レバー50が揺動したときには、操作レバー50の揺動に伴って切替部80が変位することにより、切替部80が発光部86と受光部87との間から退いて、発光部86から発せられた光が受光部87に届くようにする。このようにして、ＯＮとＯＦＦとの切り替えが行われるようにすることができる。
【００１１】
また、「上下変位体90」は、操作レバー50の軸支部よりも前端側に内蔵または並設されるものであって、一定範囲内で上下に変位可能とされるものである。上下変位体90は、一定範囲内で上下に変位可能とされれば、操作レバー50に内蔵してもよく、また並設してもよい。例えば、パイプ状の操作レバー50の内部に上下変位体90を収納し、また、水平かつ操作レバー50に対して垂直な支持軸91で、上下変位体90の後端を操作レバー50に軸支させ、さらに、上方付勢バネ92で、上下変位体90の前端を上方へ付勢する。このようにして、上下変位体90を操作レバー50に内蔵できる。また、例えば、無垢の円柱棒状の操作レバー50に溝を設け、この溝の内部に上下変位体90を収納するようにしてもよい。
【００１２】
また、「フック93」は、上下変位体90の前端に設けられるものであって、上下変位体90の前端から上方へ向けて延びるものである。また、フック93は、上下変位体90が変位範囲の上側にあるときには、握り玉60と係合することにより、握り玉60が操作レバー50の前端から外れなくなるように形成されている。
また、「第１傾斜部54」は、操作レバー50の軸支部よりも前端側の上部に設けられるものであって、握り玉60付近から後方へ向かうに従って高さが次第に低くなるように滑らかに傾斜するものである。
また、「第２傾斜部55」は、操作レバー50の軸支部よりも前端側の上部に設けられるものであって、第１傾斜部54の後端から後方へ向かうに従って高さが次第に高くなるように滑らかに傾斜するものである。
【００１３】
つまり、操作レバー50の軸支部よりも前端側の上部には、第１傾斜部54および第２傾斜部55により、Ｖ字形の凹部が形成されることとなる。このＶ字形の凹部は、前から後へ向かうと、まず下り傾斜し、その後に上り傾斜するものである。また、第１傾斜部54と第２傾斜部55との境界部56が、Ｖ字形の凹部の谷底になる。
また、上下変位体90が変位範囲の上側にあるときには、上下変位体90の上部が、第１傾斜部54と第２傾斜部55との境界部56から上方へ突出するように形成されている。
そして、上下変位体90における第１傾斜部54と第２傾斜部55との境界部56から上方へ突出する部分を下方へ押圧すると、上下変位体90が下方へ変位するとともにフック93が下方へ変位して、フック93と握り玉60との係合が解除されるように形成されている。
【００１４】
本発明によれば、操作レバー50にピアノ線を引っ掛け、これを引き下げると、ピアノ線が第１傾斜部54や第２傾斜部55に案内されて境界部56へ至り、上下変位体90における境界部56から上方へ突出する部分を下方へ押圧する。そうすると、上下変位体90が下方へ変位するとともにフック93が下方へ変位し、フック93と握り玉60との係合が解除されて、操作レバー50の前端から握り玉60が外れる。これにより、不正行為を行った遊技者は動揺し、また、遊技店の店員には不正行為が行われたことが一見でわかるので、不正行為の抑止を図ることができる。その上、このような形で不正行為の抑止を図れば、制御プログラムが複雑化することもなく、また、ＯＮとＯＦＦとの切り替えが不安定になることもない。
【００１５】
（請求項２）
請求項２記載の発明は、請求項１記載の発明を限定したものであって、フック93と握り玉60との係合が解除される位置で上下変位体90の上方への変位を阻止するための変位阻止機構95を備え、変位阻止機構95は、上下変位体90が変位範囲の上側にあってフック93と握り玉60とが係合しているときには上下変位体90の側方に設けた退避位置に退避しているとともに、上下変位体90が下方へ変位してフック93と握り玉60との係合が解除されたときには退避位置から上下変位体90の上側に突出して上下変位体90の上方への変位を阻止するストッパー96を備えていることを特徴とする。
【００１６】
ここで、「変位阻止機構95」は、フック93と握り玉60との係合が解除される位置で、上下変位体90の上方への変位を阻止するためのものである。また、変位阻止機構95は、ストッパー96を備えている。また、「ストッパー96」は、上下変位体90が変位範囲の上側にあってフック93と握り玉60とが係合しているときには、上下変位体90の側方に設けた退避位置に退避しているとともに、上下変位体90が下方へ変位してフック93と握り玉60との係合が解除されたときには、退避位置から上下変位体90の上側に突出して上下変位体90の上方への変位を阻止するように形成されているものである。
本発明によれば、上下変位体90の下方への変位に伴ってフック93が下方へ変位し、フック93と握り玉60との係合が解除されて、操作レバー50の前端から握り玉60が外れると、その位置で上下変位体90の上方への変位が阻止される。このため、外れた握り玉60を元に戻そうとして操作レバー50の前端に装着しても、フック93が握り玉60に係合しないので、握り玉60が操作レバー50の前端からすぐに外れてしまう。これにより、不正行為を行った遊技者はより一層動揺するので、不正行為の抑止効果がより一層高まる。
【００１７】
（請求項３）
請求項３記載の発明は、請求項１または２記載の発明を限定したものであって、握り玉60が操作レバー50の前端から外れた状態でも握り玉60を操作レバー50に繋いでおくための連結具65を備えていることを特徴とする。
ここで、「連結具65」は、握り玉60が操作レバー50の前端から外れた状態でも、握り玉60を操作レバー50に繋いでおくためのものである。
本発明によれば、たとえ不正行為が行われて操作レバー50の前端から握り玉60が外れたとしても、外れた握り玉60が連結具65で操作レバー50に繋ぎ止められることから、外れた握り玉60が紛失してしまわない。
【発明の効果】
【００１８】
（請求項１）
請求項１記載の発明によれば、操作レバーにピアノ線を引っ掛けて、これを引き下げると、操作レバーの前端から握り玉が外れることから、不正行為を行った遊技者が動揺するとともに、遊技店の店員には不正行為が行われたことが一見でわかるので、不正行為の抑止を図ることができ、その上、制御プログラムが複雑化することもなく、また、ＯＮとＯＦＦとの切り替えが不安定になることもない遊技機用スイッチを提供できる。
（請求項２）
請求項２記載の発明によれば、操作レバーの前端から握り玉が外れると、簡単には元に戻せなくなることから、不正行為を行った遊技者がより一層動揺するので、不正行為の抑止効果がより一層高い遊技機用スイッチを提供できる。
【００１９】
（請求項３）
請求項３記載の発明によれば、操作レバーの前端から外れた握り玉が連結具で操作レバーに繋ぎ止められることから、外れた握り玉が紛失しない遊技機用スイッチを提供できる。
【発明を実施するための最良の形態】
【００２０】
（図面の説明）
図１ないし図６は、本発明の実施の形態を示すものである。
図１は、遊技機用スイッチ30が搭載されたスロットマシン10の外観斜視図、図２（Ａ）は、遊技機用スイッチ30の側断面図、図２（Ｂ）は、遊技機用スイッチ30の平断面図、図３は、遊技機用スイッチ30の要部拡大外観斜視図、図４（Ｃ）は、フック93が握り玉60に係合した状態を示す遊技機用スイッチ30の要部拡大側断面図、図４（Ｄ）は、フック93と握り玉60との係合が解除された状態を示す遊技機用スイッチ30の要部拡大側断面図、図５（Ｅ）は、図４（Ｃ）のＸ−Ｘ線断面図、図５（Ｆ）は、図４（Ｄ）のＹ−Ｙ線断面図、図５（Ｇ）は、変位阻止機構95の解除方法を示す説明図、図６（Ｈ）および（Ｉ）は、外れた握り玉60が操作レバー50の前端に装着される様子を示す説明図である。
【００２１】
（遊技機10／スロットマシン10）
本実施の形態に係る遊技機用スイッチ30が搭載される遊技機10としてのスロットマシン10は、図１に示すように、前面に開口部を有する箱型の筐体11を備えている。また、筐体11の前面には、開口部を塞ぐ前扉12を備えている。また、前扉12の前面上部には、上パネル13が備えられ、また、前扉12の前面下部には、下パネル14が備えられている。また、下パネル14には、当該スロットマシン10の機種名のロゴやイメージキャラクターなどが表示されている。また、前扉12の前面における、上パネル13と下パネル14との間には、前方へ向けて突出する操作部15が設けられている。また、筐体11の内部には、３個の回転リール16を横並びに設けたリールユニットが備えられている。また、各回転リール16の周囲には、複数種類の図柄が所定の配列で合計２１個付されている。また、上パネル13のほぼ中央には、各回転リール16の周囲に付されている２１個の図柄のうちの３個を表示するための図柄表示窓17が設けられている。
【００２２】
また、操作部15の上面右側には、メダルを投入するためのメダル投入口18が設けられ、また、操作部15の上面左側には、クレジットされているメダルを投入するためのベットスイッチ19が設けられ、また、操作部15の前面左側には、回転リール16の回転を開始させるためのスタートスイッチ30が設けられ、また、操作部15の前面中央には、回転リール16の回転を停止させるための３個のストップスイッチ20が横並びに設けられている。そして、スタートスイッチ30には、本実施の形態に係る遊技機用スイッチ30が用いられている。
また、前扉12の下部中央には、メダルを払い出すためのメダル払出口21が設けられ、また、メダル払出口21の下方には、メダル払出口21から払い出されたメダルを受け止めて貯留するためのメダル受け皿22が設けられている。
【００２３】
また、筐体11の内部には、スロットマシン10を制御するための制御装置や、メダルを貯留するとともに所定の条件に基づいて貯留しているメダルを送り出すためのホッパーユニットとなどが備えられている。
（制御装置）
制御装置は、スロットマシン10を制御するためのものであって、ＣＰＵ、ＲＡＭ、ＲＯＭ、およびＩ／Ｏなどを備えたマイクロコンピュータを用いて構成されている。
また、制御装置の入力手段としては、スタートスイッチ30、ストップスイッチ20、およびベットスイッチ19などが接続されている。
【００２４】
また、制御装置の出力手段としては、リールユニットなどが接続されている。
また、制御装置は、遊技制御手段、役抽選手段および停止制御手段などを備えている。ＣＰＵがＲＯＭに記憶された所定のプログラムを実行することにより、制御装置を構成するマイクロコンピュータが、遊技制御手段、役抽選手段および停止制御手段などとして機能するのである。
（遊技制御手段）
遊技制御手段は、遊技を制御するためのものである。
メダルをベットすると、メダルのベット枚数に応じた本数の入賞ラインが有効になる。具体的には、１回の遊技につきベット可能なメダルの枚数は、最大で３枚とされている。また、メダルのベットには、メダル投入口18からメダルを投入することによるベットと、ベットスイッチ19を操作することによるクレジットされているメダルのベットとがある。そして、メダルのベット枚数が１枚のときには、入賞ラインが１本のみ有効になり、また、メダルのベット枚数が２枚のときには、３本の入賞ラインが有効になり、また、メダルのベット枚数が３枚のときには、５本すべての入賞ラインが有効になる。また、メダルのベットを条件に、スタートスイッチ30を操作すると、複数の役のいずれかに当選したかまたはハズレかの抽選（役抽選）が行われる。また、役抽選とほぼ同時に、３個すべての回転リール16の回転が開始する。その後に、３個のストップスイッチ20のうちの１個を操作すると、当該ストップスイッチ20に対応した回転リール16の回転が停止する。そして、３個すべてのストップスイッチ20の操作を終えると、３個すべての回転リール16の回転が停止する。このとき、いずれかの有効な入賞ライン上にいずれかの入賞図柄配列が揃うと、当該入賞図柄配列に対応した役の入賞となり、入賞態様に応じた枚数のメダルを獲得できる。また、獲得したメダルは、クレジットされ、クレジットされているメダルの枚数が所定の上限値に達しているときには、メダル払出口21から払い出される。また、メダルの獲得に代えて、あるいはメダルの獲得とともに、遊技者に対して所定の利益が付与されることもある。
【００２５】
（役抽選手段）
役抽選手段は、複数の役のいずれかに当選したかまたはハズレかの抽選（役抽選）を行うためのものである。
また、役抽選手段は、乱数発生手段と、乱数抽出手段と、役抽選テーブルと、役抽選判定手段とを備えている。
また、乱数発生手段は、役抽選用の乱数を、所定の範囲内（例えば１０進数で０〜１６３８３）で発生させるためのものである。本実施の形態では、乱数発生手段は、発振回路と、発振回路からのクロック信号が入力される毎に所定の範囲内で数値をインクリメントするカウンタ回路とによって構成されている（いわゆるハード乱数）。
【００２６】
また、乱数抽出手段は、乱数発生手段が発生させた乱数を、所定の契機で抽出するためのものである。本実施の形態では、乱数抽出手段は、スタートスイッチ30が操作されたタイミングでカウンタ回路の数値をラッチするラッチ回路によって構成されている。
また、役抽選テーブルは、乱数発生手段が発生させる範囲内の各乱数について、複数の役のいずれかに当選させるかまたはハズレかをあらかじめ定めたものである。本実施の形態では、役抽選テーブルには、０〜９９の数値範囲についてはビッグボーナス当選（ＢＢ当選）とし、１００〜２９９の数値範囲についてはレギュラーボーナス当選（ＲＢ当選）とし、３００〜６９９の数値範囲については小役当選とし、７００〜２９９９の数値範囲についてはリプレイ当選とし、それ以外の数値範囲についてはハズレとする旨があらかじめ定められている。
【００２７】
また、役抽選判定手段は、乱数抽出手段が抽出した乱数と、役抽選テーブルとを照合して、複数の役のいずれかに当選したかまたはハズレかの判定を行うためのものである。本実施の形態では、役抽選判定手段は、ラッチ回路にラッチされている数値と、役抽選テーブルとを照合して、ビッグボーナス当選（ＢＢ当選）か、レギュラーボーナス当選（ＲＢ当選）か、小役当選か、リプレイ当選か、あるいはハズレかの判定を行う。例えば、ラッチ回路にラッチされている数値が１０であれば、役抽選判定手段は、ビッグボーナス当選（ＢＢ当選）と判定し、また、ラッチ回路にラッチされている数値が１００００であれば、役抽選判定手段は、ハズレと判定する。
【００２８】
（停止制御手段）
停止制御手段は、各回転リール16の停止制御を行うためのものである。
また、停止制御手段は、役抽選手段の抽選結果と、各ストップスイッチ20が操作されたときの対応する回転リール16の回転位置とに基づいて、各回転リール16の停止制御を行う。
また、停止制御手段は、役抽選でいずれかの役に当選したときには、その当選した役に対応する入賞図柄配列がいずれかの有効な入賞ライン上に揃い得るように、かつ、その当選した役以外の役に対応する入賞図柄配列についてはいずれの有効な入賞ライン上にも揃わないように、各回転リール16の停止制御を行う。
【００２９】
また、停止制御手段は、役抽選でハズレたときには、いずれの有効な入賞ライン上にも、いずれの入賞図柄配列も揃わないように、各回転リール16の停止制御を行う。
（遊技機用スイッチ30／スタートスイッチ30）
上述したように、本実施の形態に係る遊技機用スイッチ30は、スタートスイッチ30に用いられている。
図２に示すように、スタートスイッチ30としての遊技機用スイッチ30は、遊技機10に固定されるケース40と、ケース40の前面に固定される装飾カバー45と、前端を遊技機10の前方へ突出させ後端を遊技機10の内部に位置させているとともに前端と後端との間の所定位置に設けた軸支部をケース40に揺動可能に軸支されている操作レバー50と、操作レバー50の前端に着脱可能に装着されている握り玉60と、操作レバー50を中立位置に復帰させるための中立復帰機構70と、発光部86および発光部86から発せられた光を受ける受光部87を有するフォトセンサー85とを備えている。また、操作レバー50の軸支部よりも後端側には、操作レバー50の揺動に伴う変位によってＯＮとＯＦＦとの切り替えを行う切替部80が設けられている。また、操作レバー50の軸支部よりも前端側には、一定範囲内で上下に変位可能とされている上下変位体90が内蔵されている。
【００３０】
（ケース40・装飾カバー45）
図２に示すように、ケース40は、ほぼ円筒状に形成されており、その前端付近を遊技機10に固定されている。また、ケース40の前面には、円盤状の装飾カバー45が固定されている。また、装飾カバー45の中央には、前後に貫通するカバー貫通孔が設けられている。また、カバー貫通孔の内径は、操作レバー50の外径よりも大きくしてある。そして、カバー貫通孔には、操作レバー50が挿通されている。
（操作レバー50・握り玉60）
図２に示すように、操作レバー50は、前後方向に延びるように形成されており、前端と後端とのほぼ中間位置には、軸支部を有している。また、軸支部には、操作レバー50を水平方向に貫通する軸孔が設けられ、この軸孔に揺動軸51が挿通されている。また、揺動軸51は、水平、かつ、操作レバー50に対して垂直とされている。また、揺動軸51は、その両端を、ケース40に回動可能に保持されている。これにより、操作レバー50は、軸支部を中心に揺動可能とされ、前端を下方へ変位させると、後端が上方へ変位し、逆に、前端を上方へ変位させると、後端が下方へ変位するようになっている。また、操作レバー50の前端は、遊技機10の前方へ突出しており、また、操作レバー50の後端は、遊技機10の内部に位置するようにしてある。
【００３１】
また、図２に示すように、操作レバー50の前端には、外形がほぼ球形の握り玉60が装着されている。また、握り玉60は、操作レバー50の前端に着脱可能とされている。具体的には、操作レバー50の前端付近には、前方へ向かうに従って外径が次第に小さくなるテーパー部52が設けられている。一方、握り玉60には、握り玉60の中心方向へ向かうに従って内径が次第に小さくなる装着孔61が設けられている。また、操作レバー50のテーパー部52は、握り玉60の装着孔61にちょうど嵌る形状および大きさに形成されている。また、後で詳しく説明するが、操作レバー50のテーパー部52の上面からは、カギ状のフック93が出没するようになっている。一方、握り玉60の装着孔61の内周面には、フック93の先端が嵌る係合孔62が設けられている。そして、フック93がテーパー部52から突出して、フック93の先端が係合孔62に嵌った状態では、フック93と握り玉60とが係合して、握り玉60は操作レバー50の前端から外れないが、フック93がテーパー部52の内部に没入した状態では、フック93と握り玉60との係合が解除されて、握り玉60は操作レバー50の前端から外れるようになる。さらに、図２に示すように、操作レバー50の前端には、前方押出バネ58が設けられており、フック93と握り玉60との係合が解除されると、前方押出バネ58が握り玉60を前方へ弾き飛ばすようにしてある。
【００３２】
（中立復帰機構70）
中立復帰機構70は、操作レバー50を中立位置に復帰させるためのものであって、図２に示すように、操作レバー50の軸支部よりも後端側に設けられている。具体的には、中立復帰機構70は、中立復帰バネ71と、前バネ受け部材72と、後バネ受け部材73とから構成されている。また、図２に示すように、前バネ受け部材72は、円板状に形成されており、その中央には、前後に貫通する前貫通孔が設けられている。また、前貫通孔の内径は、操作レバー50の外径よりも大きくしてあり、前貫通孔には、操作レバー50が挿通されている。また、図２に示すように、ケース40の内側には、内向き段部41が設けられている。そして、前バネ受け部材72は、操作レバー50の軸支部のすぐ後方で、内向き段部41に当接するようにしてある。また、図２に示すように、後方バネ受け部は、円板状に形成されており、操作レバー50の後端付近に固定されている。また、図２に示すように、中立復帰バネ71は、コイル状に形成されており、前バネ受け部と後バネ受け部とによって圧縮された状態で、操作レバー50の軸支部よりも後端側に外装されている。そして、中立復帰バネ71が圧縮された状態から元に戻ろうとする力によって、操作レバー50が中立位置に復帰するようにしている。
【００３３】
（切替部80・フォトセンサー85）
切替部80は、操作レバー50の揺動に伴う変位によってＯＮとＯＦＦとの切り替えを行うためのものであって、図２に示すように、操作レバー50の後端に設けられている。具体的には、図２に示すように、ケース40の後端部には、フォトセンサー85が固定されており、操作レバー50が中立位置にあるときには、切替部80が発光部86と受光部87との間に位置して、発光部86から受光部87への光路を遮るが、操作レバー50が揺動したときには、操作レバー50の揺動に伴って切替部80が変位することにより、切替部80が発光部86と受光部87との間から退いて、発光部86から発せられた光が受光部87に届くようになっている。このようにして、ＯＮとＯＦＦとの切り替えが行われるようになっている。
【００３４】
（第１傾斜部54・第２傾斜部55）
図２ないし図４に示すように、操作レバー50の軸支部よりも前端側の上部には、第１傾斜部54と第２傾斜部55とが設けられている。また、第１傾斜部54は、前側に位置しており、また、第２傾斜部55は、後側に位置している。つまり、第１傾斜部54の後側に、第２傾斜部55が連設されている。また、第１傾斜部54は、握り玉60付近から後方へ向かうに従って高さが次第に低くなるように滑らかに傾斜している。また、第２傾斜部55は、第１傾斜部54の後端から後方へ向かうに従って高さが次第に高くなるように滑らかに傾斜している。つまり、操作レバー50の軸支部よりも前端側の上部には、第１傾斜部54と第２傾斜部55とによって、Ｖ字形の凹部が形成されている。このＶ字形の凹部は、前から後へ向かうと、まず下り傾斜し、その後に上り傾斜するものである。また、第１傾斜部54と第２傾斜部55との境界部56が、Ｖ字形の凹部の谷底になっている。
【００３５】
（上下変位体90・フック93）
図２ないし図４に示すように、操作レバー50の軸支部よりも前端側には、一定範囲内で上下に変位可能とされている上下変位体90が内蔵されている。本実施の形態では、操作レバー50は、パイプを用いて形成されており、上下変位体90は、パイプ状の操作レバー50の内部に収納されている。また、図２ないし図４に示すように、上下変位体90は、前後方向に延びる棒状に形成されており、その後端付近には、支持軸91が設けられている。また、支持軸91は、水平、かつ、上下変位体90に対して垂直とされている。また、支持軸91は、その両端を、操作レバー50に回動可能に保持されている。これにより、上下変位体90は、支持軸91を中心に揺動可能とされ、前端が上下に変位するようになっている。また、図４に示すように、操作レバー50の内部には、上下変位体90の前端を上方へ付勢する上方付勢バネ92が設けられている。
【００３６】
また、図２ないし図４に示すように、操作レバー50の上部には、第１傾斜部54と第２傾斜部55とが設けられ、さらに第１傾斜部54と第２傾斜部55との境界部56には、前後方向に延びるスリット57が設けられている。つまり、操作レバー50の上部には、Ｖ字形の凹部が設けられ、さらにＶ字形の凹部の谷底に相当する位置には、前後方向に延びるスリット57が設けられている。そして、上下変位体90が変位範囲の上側にあるときには、上下変位体90の上部が、スリット57から上方へ突出するようにしてある。このようにして、上下変位体90が変位範囲の上側にあるときには、上下変位体90の上部が、第１傾斜部54と第２傾斜部55との境界部56から上方へ突出するようになっている。
【００３７】
また、図２ないし図４に示すように、上下変位体90の前端には、カギ状のフック93が設けられている。また、フック93は、上下変位体90の前端から上方へ向けて延びている。また、図２ないし図４に示すように、操作レバー50のテーパー部52の上面には、出没孔53が設けられており、フック93は、出没孔53から出没するようになっている。そして、上下変位体90が変位範囲の上側にあり、上下変位体90の上部がスリット57から上方へ突出しているときには、フック93が出没孔53から突出する。この状態では、フック93の先端が握り玉60の係合孔62に嵌ることにより、フック93と握り玉60とが係合して、握り玉60が操作レバー50の前端から外れなくなる。一方、上下変位体90の上部における、第１傾斜部54と第２傾斜部55との境界部56から上方へ突出する部分が下方へ押圧されると、上下変位体90が下方へ変位して、フック93がテーパー部52の内部に没入する。つまり、上下変位体90の上部における、スリット57から上方へ突出する部分が下方へ押圧されると、上下変位体90が下方へ変位して、フック93がテーパー部52の内部に没入する。この状態では、フック93と握り玉60との係合が解除されて、握り玉60は操作レバー50の前端から外れるようになる。さらに、上述したように、フック93と握り玉60との係合が解除されると、操作レバー50の前端に設けられた前方押出バネ58が、握り玉60を前方へ弾き飛ばす。
【００３８】
（変位阻止機構95）
変位阻止機構95は、フック93と握り玉60との係合が解除される位置で、上下変位体90の上方への変位を阻止するためのものである。
図３ないし図５に示すように、変位阻止機構95は、ストッパー96と、側方付勢バネ97とから構成されている。ストッパー96は、上下変位体90が変位範囲の上側にあって、フック93と握り玉60とが係合しているときには、上下変位体90の側方に設けた退避位置に退避しているが、上下変位体90が下方へ変位して、フック93と握り玉60との係合が解除されたときには、側方付勢バネ97に付勢されることにより、退避位置から上下変位体90の上側に突出して、上下変位体90の上方への変位を阻止するように形成されている。
【００３９】
（連結具65）
連結具65は、握り玉60が操作レバー50の前端から外れた状態でも握り玉60を操作レバー50に繋いでおくためのものである。連結具65には、紐が用いられている。そして、連結具65とされる紐の一端は、握り玉60に固定され、同他端は、操作レバー50に固定されている。
（作用・効果）
図４に示すように、操作レバー50にピアノ線を引っ掛けて、これを引き下げると、第１傾斜部54や第２傾斜部55に案内されることにより、ピアノ線が第１傾斜部54と第２傾斜部55との境界部56へ至る。つまり、ピアノ線がＶ字形の凹部の谷底へ至る。また、第１傾斜部54と第２傾斜部55との境界部56には、つまり、Ｖ字形の凹部の谷底には、スリット57が設けられているとともに、このスリット57からは、上下変位体90の上部が上方へ突出している。そして、上下変位体90の上部における、スリット57から上方へ突出する部分を、ピアノ線が下方へ押圧すると、上下変位体90が下方へ変位するとともに、フック93がテーパー部52の内部に没入し、フック93と握り玉60との係合が解除されて、操作レバー50の前端から握り玉60が外れる。さらに、フック93と握り玉60との係合が解除されると、操作レバー50の前端に設けられた前方押出バネ58が、握り玉60を前方へ弾き飛ばす。
【００４０】
これにより、不正行為を行った遊技者は動揺し、また、遊技店の店員には不正行為が行われたことが一見でわかるので、不正行為の抑止を図ることができる。その上、このような形で不正行為の抑止を図れば、制御プログラムが複雑化することもなく、また、ＯＮとＯＦＦとの切り替えが不安定になることもない。
また、図５に示すように、上下変位体90の下方への変位に伴ってフック93がテーパー部52の内部に没入し、フック93と握り玉60との係合が解除されて、操作レバー50の前端から握り玉60が外れると、退避位置から上下変位体90の上側にストッパー96が突出することにより、その位置で上下変位体90の上方への変位が阻止される。このため、外れた握り玉60を元に戻そうとして操作レバー50の前端に装着しても、フック93が握り玉60に係合しないので、握り玉60が操作レバー50の前端からすぐに外れてしまう。
【００４１】
これにより、不正行為を行った遊技者はより一層動揺するので、不正行為の抑止効果がより一層高まる。
また、たとえ不正行為が行われて操作レバー50の前端から握り玉60が外れたとしても、外れた握り玉60が連結具65で操作レバー50に繋ぎ止められることから、外れた握り玉60が紛失してしまわない。
またここで、外れた握り玉60を操作レバー50の前端に装着して元通りにフック93と係合させる手順を以下に示す。
図３および図５に示すように、操作レバー50には、細孔98が設けられている。この細孔98は、針などの細長い棒99は挿入できるが、ストッパー96は通らない大きさとされている。
【００４２】
まず、図５（Ｇ）に示すように、細孔98に細長い棒99を挿入し、この細長い棒99の先端でストッパー96を押して、側方付勢バネ97に抗して退避位置に押し込む。そうすると、上下変位体90が上方付勢バネ92に付勢されて上方へ変位する。細長い棒99の先端でストッパー96を退避位置に押し込んでいる状態では、上下変位体90が細長い棒99に当接したところで上方への変位が一旦停止する。このとき、図５（Ｇ）に示すように、上下変位体90の上端がストッパー96の下端よりも上方に位置していれば、細長い棒99を細孔98から抜いても、ストッパー96は、上下変位体90の側面に当接することから、それ以上飛び出してくることはない。そして、上下変位体90は、ストッパー96に阻止されることなく、上方付勢バネ92に付勢されて上方へ変位する。そうすると、出没孔53からフック93が突出する。
【００４３】
次に、図６（Ｈ）および（Ｉ）に示すように、操作レバー50のテーパー部52を握り玉60の装着孔61に挿入して、操作レバー50の前端に握り玉60を装着する。ここで、図６（Ｈ）および（Ｉ）に示すように、フック93の前面上部には、ガイド傾斜部94が設けられている。また、ガイド傾斜部94は、前方へ向かうに従って高さが次第に低くなるように傾斜している。このため、テーパー部52を装着孔61に挿入する際に、フック93の前面上部が装着孔61の周囲に当接しても、ガイド傾斜部94に案内されてフック93が押し下げられるので、テーパー部52の装着孔61への挿入が妨げられることはない。さらに前方押出バネ58に抗してテーパー部52を装着孔61に押し込み、フック93の先端が係合孔62の位置まで達すると、フック93が突出して係合孔62に嵌り、フック93と握り玉60とが係合する。そうすると、握り玉60は操作レバー50の前端から外れなくなる。
【００４４】
（変形例）
なお、上記実施の形態では、パイプを用いて操作レバー50を形成したが、例えば、無垢の円柱棒を用いて操作レバー50を形成してもよい。この場合、例えば、無垢の円柱棒状の操作レバー50に溝を設け、この溝の内部に上下変位体90を収納するようにしてもよい。
また、上下変位体90は、一定範囲内で上下に変位可能であれば、操作レバー50に内蔵するのではなく、操作レバー50に並設してもよい。
【図面の簡単な説明】
【００４５】
【図１】本発明の実施の形態に係る遊技機用スイッチが搭載されたスロットマシンの外観斜視図。
【図２】本発明の実施の形態に係る遊技機用スイッチの側断面図（Ａ）および平断面図（Ｂ）。
【図３】本発明の実施の形態に係る遊技機用スイッチの要部拡大外観斜視図。
【図４】本発明の実施の形態に係る遊技機用スイッチの、フックが握り玉に係合した状態（Ｃ）、およびフックと握り玉との係合が解除された状態（Ｄ）を示す要部拡大側断面図。
【図５】本発明の実施の形態に係る遊技機用スイッチの、図４（Ｃ）のＸ−Ｘ線断面図（Ｅ）、図４（Ｄ）のＹ−Ｙ線断面図（Ｆ）、および変位阻止機構の解除方法を示す説明図（Ｇ）。
【図６】本発明の実施の形態に係る遊技機用スイッチの、外れた握り玉が操作レバーの前端に装着される様子を示す説明図（Ｈ）および（Ｉ）。
【符号の説明】
【００４６】
10  遊技機（スロットマシン）          11  筐体
12  前扉                              13  上パネル
14  下パネル                          15  操作部
16  回転リール                        17  図柄表示窓
18  メダル投入口                      19  ベットスイッチ
20  ストップスイッチ                  21  メダル払出口
22  メダル受け皿                      30  遊技機用スイッチ（スタートスイッチ）
40  ケース                            41  内向き段部
45  装飾カバー                        50  操作レバー
51  揺動軸                            52  テーパー部
53  出没孔                            54  第１傾斜部
55  第２傾斜部                        56  境界部
57  スリット                          58  前方押出バネ
60  握り玉                            61  装着孔
62  係合孔                            65  連結具
70  中立復帰機構                      71  中立復帰バネ
72  前バネ受け部材                    73  後バネ受け部材
80  切替部                            85  フォトセンサー
86  発光部                            87  受光部
90  上下変位体                        91  支持軸
92  上方付勢バネ                      93  フック
94  ガイド傾斜部                      95  変位阻止機構
96  ストッパー                        97  側方付勢バネ
98  細孔                              99  細長い棒
【図１】
2008272369.tif 000003
【図２】
2008272369.tif 000004
【図３】
2008272369.tif 000005
【図４】
2008272369.tif 000006
【図５】
2008272369.tif 000007
【図６】
2008272369.tif 000008